(57)【要約】【課題】油や埃などが付着・蓄積されたフィルターの清掃の手間を軽減することを目的とする。【解決手段】調理器の上方または周囲に設置され、吸込口１と屋外に連通した吐出口４と排気装置５を内部に配設したフード２と、吸込口１と吐出口４とを排気装置５を介して連通した通風路７に配設された送風ケーシング６の前方に駆動手段９を連結したフィルター１０と、フィルター１０を包囲する洗浄ケーシング１１と、多数の噴射口１２を有し配列したノズル１５と、ノズル１５に水を供与する給水手段１８と、洗浄ケーシング１１内に散乱した汚水の回収手段２０と、ノズル１５をフィルター中心側１３からフィルター円周端側１４に向かい直線上に配設させたことにより、フィルター１０の汚れを、各部品を手間をかけずに取り外すことなく除去することができるレンジフードを得られる。【選択図】図１
2008122063.tif 000002
【特許請求の範囲】
【請求項１】
調理器の上方または周囲に設置され、汚染された空気を吸込む吸込口と、屋外に連通した吐出口と、排気送風用の排気装置を内包した送風ケーシングとを連通して通風路を設けたフードと、前記吸込口下流側に駆動手段により回転する円盤状のフィルターと、前記フィルターを包囲する洗浄ケーシングと、多数の噴射口を一列に配列した円筒状のノズルと、前記ノズルに水を供給する給水手段と、前記洗浄ケーシング内に散乱した汚水の回収手段とを有し、前記フィルター中心側から円周端側に向かい前記ノズルを直線上に配設したことを特徴とするレンジフード。
【請求項２】
微小物を含む空気を吸込む吸込口から吐出口まで形成された通風路を有するフードと、前記通風路に設けられた排気送風用の排気装置と、前記通風路に設けられ、中心軸について回転して外周端を有するフィルターであって、前記空気を通して前記微小物を捕らえる有効域を有して、前記有効域は前記中心軸を囲む内周端を有するフィルターと、前記フィルターの前記外周端を覆って囲む洗浄ケーシングと、前記フィルターに対向する複数の噴射口を有するノズルと、前記ノズルに水を供給する給水部と、前記洗浄ケーシング内に飛散した水を回収する回収部とを備え、前記複数の噴射口は、前記フィルターの前記有効域の前記内周端から前記外周端まで所定の線上に配列されたことを特徴とするレンジフード。
【請求項３】
ノズルに備えた多数の噴射口を、波型に配列したことを特徴とする請求項１および２記載のレンジフード。
【請求項４】
ノズルの噴射口の吐出面積を、フィルター中心側からフィルター円周端側に向かうほど大きくしたことを特徴とする請求項１〜３のいずれかに記載のレンジフード。
【請求項５】
ノズルの噴射口を配列する間隔を、フィルター中心側からフィルター円周端側に向かうほど狭小させたことを特徴とする請求項１〜４のいずれかに記載のレンジフード。
【請求項６】
ノズルの噴射口からフィルターに噴射する水の勢いを、フィルター中心側からフィルター円周端側に向かうほど弱めたことを特徴とするとする請求項１〜５のいずれかに記載のレンジフード。
【請求項７】
ノズルの断面の形状を、通風路の上流側は先鋭な鋭端部に、前記通風路の下流側は前記鋭端部より縦高にした底端部にし、前記底端部に噴射口を設けたことを特徴とする請求項１〜６のいずれかに記載のレンジフード。
【請求項８】
前記複数の噴射口は、前記フィルターの前記有効域の前記内周端から前記外周端まで、第１の直線上に配列された複数の第１の噴射口と、前記フィルターの前記有効域の前記内周端から前記外周端まで、前記第１の直線と平行な第２の直線上に配列された複数の第２の噴射口とを含み、前記複数の第１の噴射口は、互いに隣り合う第３の噴射口と第４の噴射口とを含み、前記複数の第２の噴射口は第５の噴射口を含み、前記第３の噴射口と前記第４の噴射口は、互いに対向する前記第３の噴射口の部分と前記第４の噴射口の部分とで前記中心軸を中心とする同心円にそれぞれ接し、前記第５の噴射口は、前記同心円の間に位置する請求項１または２に記載のレンジフード。
【発明の詳細な説明】
【技術分野】
【０００１】
本発明は、レンジフードに取り付けるフィルターの汚れ除去に関する。
【背景技術】
【０００２】
従来より、レンジフードには調理で発生する油煙や埃等を捕集する目的として、フィルターが取り付けられていた。このフィルターは使用とともに汚れが付着するため、吸い込む風量が低下したり、捕集部から油垂れが生じるため、定期的な掃除を行う必要があった。
【０００３】
また、これら掃除の手間を軽減する目的でフィルターを自動的に浄化する手段として、フィルターに駆動手段を取り付けて回転させることにより、遠心力で汚れを除去するレンジフードがあった（例えば、特許文献１参照）。
【０００４】
以下、そのレンジフードについて、図１３を参照しながら説明する。
【０００５】
図１３に示すように、汚れた空気１０１は、吸込口１０２を通過して排気装置１０３の前方に配置されたフィルター１０４を通過する。そして、このフィルター１０４を回転させる駆動装置１０５と、フィルター１０４の汚れを検知するセンサー１０６とで、フィルター１０４の汚れを検知してフィルター１０４を駆動装置１０５で回転させ、汚れを遠心力で除去させている。
【特許文献１】特開平３−１６４６３９号公報（第３頁、第１図）
【発明の開示】
【発明が解決しようとする課題】
【０００６】
このような従来のレンジフードでは、油等の汚れがフィルターに付着した状態で乾燥もしくは蓄積すると、遠心力だけでは十分に除去するのが困難であり、しだいにフィルターが目詰まりを起こし、汚れを除去する性能が低下するという課題があった。
【０００７】
本発明は、このような従来の課題を解決するものであり、フィルターを取り外すことなく、乾燥し固着したフィルターの油や埃などの汚れを手間なく除去し、油排出の性能劣化を防止することができることを特徴としたレンジフードを提供することを目的としている。
【課題を解決するための手段】
【０００８】
本発明のレンジフードは、上記目的を達成するために、調理器の上方または周囲に設置され、汚染された空気を吸込む吸込口と、屋外に連通した吐出口と、排気送風用の排気装置を内包した送風ケーシングとを連通して通風路を設けたフードと、前記吸込口下流側に駆動手段により回転する円盤状のフィルターと、前記フィルターを包囲する洗浄ケーシングと、多数の噴射口を一列に配列した略円筒状のノズルと、前記ノズルに水を供給する給水手段と、前記洗浄ケーシング内に散乱した汚水の回収手段とを有し、前記フィルター中心側からフィルター円周端側方向に向かい前記ノズルを直線上に配設したものである。
【０００９】
この手段により、フィルターの表面に固着した汚れを簡単に除去することができるので、掃除の手間を軽減し、フィルターの目詰まりを防いで排出する風量の低下を抑え、また、油煙や塵埃をフィルターに効果的に捕集することができるレンジフードが得られる。
【００１０】
微小物を含む空気を吸込む吸込口から吐出口まで形成された通風路を有するフードと、前記通風路に設けられた排気送風用の排気装置と、前記通風路に設けられ、中心軸について回転して外周端を有するフィルターであって、前記空気を通して前記微小物を捕らえる有効域を有して、前記有効域は前記中心軸を囲む内周端を有するフィルターと、前記フィルターの前記外周端を覆って囲む洗浄ケーシングと、前記フィルターに対向する複数の噴射口を有するノズルと、前記ノズルに水を供給する給水部と、前記洗浄ケーシング内に飛散した水を回収する回収部とを備え、前記複数の噴射口は、前記フィルターの前記有効域の前記内周端から前記外周端まで所定の線上に配列したものである。
【００１１】
この手段により、フィルターの表面に固着した微小物による汚れを簡単に除去することができるので、掃除の手間を軽減し、フィルターの目詰まりを防いで排出する風量の低下を抑え、また、油煙や塵埃をフィルターに効果的に捕集することができるレンジフードが得られる。
【００１２】
また、他の手段は、ノズルに備えた多数の噴射口を波型に配列したものである。
【００１３】
この手段により、短時間に効率よくフィルターの汚れを除去することができるレンジフードが得られる。
【００１４】
また、他の手段は、ノズルの噴射口の吐出面積を、フィルター中心側からフィルター円周端側に向かうほど大きくしたものである。
【００１５】
この手段により、給水をより多く必要とするフィルター円周端側により多くの水を与えることができ、フィルターの汚れを均一に除去することができ、洗浄作業を何度も繰り返し実施する必要がなくなるレンジフードが得られる。
【００１６】
また、他の手段は、ノズルの噴射口を配列する間隔を、フィルター中心側からフィルター円周端側に向かうほど狭小させたものである。
【００１７】
この手段により、給水手段から供与される水量を少なくしても、フィルターの汚れを除去することができ、給水するために必要な揚程を低く抑え給水経路を小型化してフィルターの汚れ除去が行え、給水手段のコストダウンや設置の省スペース化を図ることができるレンジフードが得られる。
【００１８】
また、他の手段は、ノズルの噴射口からフィルターに噴射する水の勢いを、フィルター中央側からフィルター円周端側に向かい弱めたものである。
【００１９】
この手段により、フィルター自身のたわみを抑えて、水の噴射による汚れ除去の効果を上げるとともに、フィルターの変形を防いで機器の保全性を高めることができるレンジフードが得られる。
【００２０】
また、他の手段は、ノズルの断面の形状を、通風路の上流側は先鋭な鋭端部に、前記通風路の下流側は前記鋭端部より縦高にした底端部にし、前記底端部に噴射口を設けたものである。
【００２１】
この手段により、通風路内に放置されるノズル自身の汚れの付着を軽減することができ、圧力損失も極めて少なくできるレンジフードが得られる。
【００２２】
また、複数の噴射口は、フィルターの有効域の内周端から外周端まで、第１の直線上に配列された複数の第１の噴射口と、前記フィルターの前記有効域の前記内周端から前記外周端まで、前記第１の直線と平行な第２の直線上に配列された複数の第２の噴射口とを含み、前記複数の第１の噴射口は、互いに隣り合う第３の噴射口と第４の噴射口とを含み、前記複数の第２の噴射口は第５の噴射口を含み、前記第３の噴射口と前記第４の噴射口は、互いに対向する前記第３の噴射口の部分と前記第４の噴射口の部分とで前記中心軸を中心とする同心円にそれぞれ接し、前記第５の噴射口は、前記同心円の間に位置する構成としたものである。
【００２３】
この手段により、噴射口を密度高く配置してフィルターに付着した汚れ等の微小物を確実に落とすことができるレンジフードが得られる。
【発明の効果】
【００２４】
本発明によれば、多数の噴射口を配列したノズルをフィルター正面に設置することにより、フィルター全域に一度に水を噴射して汚れを除去し固着した油や埃などの強固な汚れも手間なく洗浄することができるレンジフードを提供できる。
【００２５】
また、他の手段は、ノズルに備えた多数の噴射口が波型に配列されているので、各噴射口から噴射された水が互いに干渉し勢いを打ち消しあうことなくフィルターの汚れを除去できるので、短時間で効率よくフィルター洗浄することができるレンジフードを提供できる。
【００２６】
また、他の手段は、フィルター中心側に設けたノズルの噴射口の吐出面積を、フィルター円周端側の噴射口より大きくすることで、フィルター円周端部の非常に大きな面積を有し除去の際に多量の水が必要な場合でも、何回も洗浄の作業を繰り返さずにフィルターの清潔に保つことができるレンジフードを提供できる。
【００２７】
また、他の手段は、ノズルの噴射口を配列する間隔をフィルター円周端側に向かうほど狭小されているもので、ノズルから噴射される水量を増加させることなく給水できるので、部品のコストダウンやスケールダウンによる省スペース化を図ることができるレンジフードを提供できる。
【００２８】
また、他の手段は、フィルター円周端側に噴射される水の勢いを弱めているので、部品強度の比較的脆弱なフィルター円周端側への押力を弱めてフィルターの歪みや変形などを抑え、フィルターや駆動手段などの故障を未然に防ぎ長寿命化を図ることができるレンジフードを提供することができる。
【００２９】
また、他の手段は、ノズルの断面の形状を、通風路の上流側は先鋭な鋭端部に、前記通風路の下流側は前記鋭端部より縦高にした底端部にしているもので、ノズル自身に付着する汚れを軽減してフード機内の清掃の手間を省き、通気抵抗も低くなるので油煙排出量の低下を抑えることができるレンジフードを提供できる。
【００３０】
また、ひとつの列の互いに対向する噴射口の部分はフィルターの中心軸を中心とする同心円にそれぞれ接し、平行して設けた別の列の噴射口は、前記同心円の間に位置するように噴射口を配置することで、配置する密度を大きくしてフィルターに付着した汚れ等の微小物を確実に落とすことができるレンジフードを提供できる。
【発明を実施するための最良の形態】
【００３１】
本発明の請求項１記載のレンジフードは、調理器の上方または周囲に設置され、汚染された空気を吸込む吸込口と、屋外に連通した吐出口と、排気送風用の排気装置を内包した送風ケーシングとを連通して通風路を設けたフードと、前記吸込口下流側に駆動手段により回転する円盤状のフィルターと、前記フィルターを包囲する洗浄ケーシングと、多数の噴射口を一列に配列した略円筒状のノズルと、前記ノズルに水を供給する給水手段と、前記洗浄ケーシング内に散乱した汚水の回収手段とを有し、前記フィルター中央側からフィルター円周端側に向かい前記ノズルを直線上に配設したものであり、ノズルから噴射される勢いのある水が、フィルター全域に亘って衝突し、フィルターの孔や表面の汚れを剥離・飛散させる作用を有する。
【００３２】
また、微小物を含む空気を吸込む吸込口から吐出口まで形成された通風路を有するフードと、前記通風路に設けられた排気送風用の排気装置と、前記通風路に設けられ、中心軸について回転して外周端を有するフィルターであって、前記空気を通して前記微小物を捕らえる有効域を有して、前記有効域は前記中心軸を囲む内周端を有するフィルターと、前記フィルターの前記外周端を覆って囲む洗浄ケーシングと、前記フィルターに対向する複数の噴射口を有するノズルと、前記ノズルに水を供給する給水部と、前記洗浄ケーシング内に飛散した水を回収する回収部とを備え、前記複数の噴射口は、前記フィルターの前記有効域の前記内周端から前記外周端まで所定の線上に配列したものであり、ノズルから噴射される勢いのある水が、フィルターの有効域に亘って衝突し、フィルターの孔や表面の汚れを剥離・飛散させる作用を有する。
【００３３】
また、ノズルに備えた多数の噴射口を、波型に配列したもので、ノズルの噴射口から噴射された水の相互の干渉を少なくする作用を有する。
【００３４】
また、ノズルの噴射口の吐出面積を、フィルター中心側からフィルター円周端側に向かうほど大きくしたもので、相当面積の広いフィルター円周端側に十分な水量を供給するという作用を有する。
【００３５】
また、ノズルの噴射口を配列する間隔を、フィルター中心側からフィルター円周端側に向かうほど狭小されたもので、フィルター円周端側に集中して水を供与することができる作用を有する。
【００３６】
また、ノズルの噴射口からフィルターに噴射する水の勢いを、フィルター中心側からフィルター円周端側に向かうほど弱めたもので、フィルター円周端側の変形や歪みを防止する作用を有する。
【００３７】
また、ノズルの断面の形状を、通風路の上流側は先鋭な鋭端部に、前記通風路の下流側は前記鋭端部より縦高にした底端部にしたもので、風の流れに逆らうことなく整流させてノズル自身に付着する油量を軽減し通気抵抗を少なくすることができる作用を有する。
【００３８】
また、複数の噴射口は、フィルターの有効域の内周端から外周端まで、第１の直線上に配列された複数の第１の噴射口と、前記フィルターの前記有効域の前記内周端から前記外周端まで、前記第１の直線と平行な第２の直線上に配列された複数の第２の噴射口とを含み、前記複数の第１の噴射口は、互いに隣り合う第３の噴射口と第４の噴射口とを含み、前記複数の第２の噴射口は第５の噴射口を含み、前記第３の噴射口と前記第４の噴射口は、互いに対向する前記第３の噴射口の部分と前記第４の噴射口の部分とで前記中心軸を中心とする同心円にそれぞれ接し、前記第５の噴射口は、前記同心円の間に位置するもので、フィルターの有効域にむらなく、確実に水を噴霧する作用を有する。
【００３９】
以下、本発明の実施の形態について図面を参照しながら説明する。
【００４０】
（実施の形態１）
図１〜図３に示すように、調理器（図示せず）の上方に、調理にて発生した油煙や周囲に浮遊する埃である微小物を捕集する吸込口１を設けたフード２を設置し、フード２には、天面に屋外と連通したダクト３を介して連通する吐出口４を設け、内部には排気装置５を包括した送風ケーシング６を配設し、この排気装置５を介し吸込口１と吐出口４を結ぶ通風路７を形成している。また、フード２内の吸込口１近傍には平坦な整流板８が設けられ、排気装置５の前面に駆動手段９を連結した油や埃を捕集するためのパンチング穴を有したフィルター１０を設け、フィルター１０外縁にはフィルター１０を覆い被さる筒形状の洗浄ケーシング１１を有し、フィルター１０前面には、多数の噴射口１２を横一列かつフィルター１０に対峙させ配列し、フィルター中心側１３からフィルター円周端側１４に向かい水平にかつ一定の距離を保持して設置している略円筒状のノズル１５が貯水装置１６と給水ポンプ１７に接続固定されて給水手段１８を形成している。また、洗浄ケーシング１１の下端部には小孔１９を設け、洗浄ケーシング１１内に散乱した汚水を小穴１９から排水して回収する回収手段２０を設けている。
【００４１】
上記構成において、調理時に発生した油や室内の埃などの汚れは、排気装置５を運転することで整流板８の周囲の吸込口１からフード２内に吸い込まれ、通風路７内に設置したフィルター１０にて捕集・蓄積され、その後排気装置５によって吐出口４よりダクト３を通じ屋外に排出される。その際、フィルター１０に付着した汚れ、特に埃は、フィルター１０の穴に入り込み複雑に絡み合うことで除去が非常に困難になって油の付着を促進するとともに、しだいに付着が増しフィルター１０の穴を塞いで目詰まりを発生させ、排出風量の低下を招くこととなる。そのため、フィルター１０の洗浄を行うが、まず、駆動手段９によりフィルター１０を回転させ、同時に給水ポンプ１７により貯水装置１６に貯めた水をくみ上げノズル１５に供給する。ノズル１５の噴射口１２より勢いよく噴射された水はフィルター１０表面に衝突しながら汚れを剥がし落とすとともに、フィルター１０の穴を通過する際に絡み合い蓄積された埃も合わせて除去し、あわせて回転による遠心力にてフィルター１０から飛散させて洗浄することとなる。また、多数の噴射口１２を横一列に配列した略円筒状のノズル１５がフィルター中心側１３からフィルター円周端側１４に水平に配設されているので、噴射口１２の勢いある水で噴射口１２に当って汚れを除去する。しかも、数箇所の少ない噴射口１２であれば一度除去した汚れもフィルター１０上を移動するだけであるが、フィルター１０全域に一度に噴射するので、簡単で非常にきれいに洗浄を行うことができる。そのため、通常であれば洗浄が非常に困難である蓄積された汚れも簡易に手間なく除去することができる。
【００４２】
なお、フィルター１０はパンチングの穴形状としているが、網形状や長穴形状のものでもよく、その作用効果に差異を生じない。
【００４３】
なお、ノズル１５はフィルター１０前面に水平方向に設置しているが、フィルター中心側１３からフィルター円周端側１４に向かい一定距離を保って設置すればよく、フィルター１０前面であれば垂直方向の位置もしくは斜方方向の位置に設置してもよい。
【００４４】
（実施の形態２）
図４において、図１〜図３と同じ構成要素については同じ符号を用いその説明を省略する。
【００４５】
図４に示すように、ノズル１５Ａに備えた多数の噴射口１２Ａが波型に配列されている。
【００４６】
上記構成において、フィルター１０Ａ洗浄時には、水はノズル１５Ａの波型に配列された噴射口１２Ａから噴射され、フィルター１０Ａに到達し輪が広がるようにフィルター上を拡大していく。衝突の際の勢いと拡大するときの水流で汚れを洗浄するが、ノズル１５Ａの波型に配列されているので、各噴射口１２Ａの間隔が大きくなり、互いの水の勢いを打ち消すことなく、かつ水の拡大を邪魔することなく衝突するので除去する効果をぶつかり合って低下させることなく効率的に洗浄することができるので、洗浄に必要な時間や水の使用量を軽減することができる。
【００４７】
（実施の形態３）
図５において、図１〜図４と同じ構成要素については同じ符号を用いその説明を省略する。
【００４８】
図５に示すように、ノズル１５Ｂの噴射口１２Ｂの吐出面積をフィルター中心側１３Ｂからフィルター円周端側１４Ｂに向かうほど大きくしたノズル１５Ｂを形成している。
【００４９】
上記構成において、フィルター円周端側１４Ｂにあるノズル１５Ｂの噴射口１２Ｂが洗浄すべきフィルター１０Ｂの面積は、フィルター中心側１３Ｂと比較すると非常に大きくなる。すなわち、一口当りの受け持つフィルター１０Ｂの相当面積が広いため水量多くしなければならないが、フィルター円周端側１４Ｂの吐出面積を大きくして水量を増加させることで、フィルター円周端側１４Ｂの洗浄が十分行える。そのため、特にフィルター円周端側１４Ｂの洗い残しを発生させることなく、時には数回ほど繰り返していた一連の除去作業も１回ほどで終了することができ手間を省いて時間を大幅に短縮することができる。
【００５０】
（実施の形態４）
図６において、図１〜図５と同じ構成要素については同じ符号を用いその説明を省略する。
【００５１】
図６に示すように、ノズル１５Ｃの噴射口１２Ｃを配列する間隔が、フィルター円周端側１４Ｃに向かうほど狭小されるノズル１５Ｃを形成している。
【００５２】
上記構成において、フィルター１０Ｃの洗浄時にはフィルター円周端側１４Ｃに配列したノズル１５Ｃの噴射口１２Ｃの配列される間隔が小さいので、フィルター円周端側１４Ｃに集中して水が供給される。それらの水はフィルター円周端側１４Ｃを漏れなく確実に洗い流すことができ、ノズル１５Ｃへの給水量を増加させなくても、フィルター１０Ｃの洗浄が行え、特に給水ポンプ１７（図示せず）などの部品のコストダウンが行え、水量を減らすことで水経路のホース形を小さくでき省スペース化を図ることができる。
【００５３】
（実施の形態５）
図７において、図１〜図６と同じ構成要素については同じ符号を用いその説明を省略し、矢印の長さは水の勢いを示す。
【００５４】
図７に示すように、フィルター１０Ｄに噴射する水の勢い３０をフィルター中心側１３Ｄからフィルター円周端側１４Ｄに向かうほど弱めて設置されている。
【００５５】
上記構成において、フィルター１０Ｄはパンチング穴を開けるために、通常加工のし易いアルミ板や薄い鉄板等を用いているが、駆動手段９Ｄと接続固定されているフィルター中央側１３Ｄと比較してフィルター円周端側１４Ｄは、特に正面の推力に対し歪みを生じやすい。そのため、フィルター１０Ｄの前面から噴射される水の勢い３０を制御することでフィルター１０Ｄの変形を未然に防止しているが、フィルター円周端側１４Ｄの水勢が弱いためフィルター１０Ｄ洗浄の効果を下げることなく、除去作業を進めることができ、また、フィルター１０Ｄ変形による振動や音を抑えて、長年使用で発生される振動にてフィルター１０Ｄの破壊を誘引したり振動による負荷が駆動手段９Ｄにかかることによる回動の不具合を回避することで機器の保全性を高めることができる。
【００５６】
（実施の形態６）
図８において、図１〜図７と同じ構成要素については同じ符号を用いその説明を省略する。
【００５７】
図８に示すように、ノズル１５Ｅの断面の形状をで、通風路７Ｅの上流側は先鋭な鋭端部４０に、通風路７Ｅの下流側は鋭端部４０より縦高にした底端部４１にし、その底端部４１側に噴射口１２Ｅを設けたものである。
【００５８】
上記構成において、通常の排煙時にはノズル１５Ｅ自身が汚染された空気が通る通風路７Ｅ内に設置されているので、油や埃が付着することとなるが、一例として、ノズル１５Ｅの断面が略三角形で風の通気を妨げない流線型とすると、ノズル１５Ｅ自身の汚れの付着が極めて少なくフィルター１０Ｅの汚れ除去の手間を軽減しても防げなかったノズル１５Ｅの清掃の手間から開放される。また、風を整流し通過させるので、圧力抵抗も低く抑えることができるので、風量低下などの機能障害を未然に防ぐことができる。
【００５９】
（実施の形態７）
図９はレンジフードのノズル１５Ｆの正面図である。図において、図１〜図３に示す実施の形態１におけるレンジフードと同じ部分には同じ参照番号をその説明を省略する。本実施の形態は図１〜図３に示すレンジフードのノズル１５の代わりにノズル１５Ｆを備える。図９はフィルター１０から見たノズル１５Ｆの正面図である。ノズル１５Ｆは、図３に示すノズル１５と同様に、フィルター中心側１３からフルター円周側１４の範囲内ではあるが、フィルター１０の有効域１０Ｚの内周端１３Ｅから外周端１４Ｅまで所定の線である直線上に一列に配置された複数の噴射口１２を有する。ノズル１５Ｆはフィルター１０の中心軸９Ａから下方に位置し、実質的に水平に延びている。複数の噴射口１２は実質的に水平に配列されている。これにより、ノズル１５Ｆは図３に示す実施の形態１によるノズル１５と同様の効果を有する。さらに、中心軸９Ａから下方に位置させたため、フィルター１０の中心軸９Ａに連結し、中心部に位置した駆動手段９とその回転軸９Ｂ（図示せず）は、有効域１０Ｚ以外に配置されて噴霧口１２から噴霧した水がかかることが防止することができ、適切な水量で適切な位置に水を噴霧して、フィルター１０を洗浄することが可能になる。
【００６０】
また、本実施の形態は、特にノズル１５Ｄの噴射口１２をフルターの有効域１０Ｚの内周端１３Ｅから外周端１４Ｅまでには位置することを特徴としているものであり、噴射口として、実施の形態２〜４による噴射口１２Ａ、１２Ｂ、１２Ｃを用いても同様の効果を有する。そして、図１０に示すように、中心軸９Ａから右方向へずらして噴射口１２を配置しても回転軸９Ｂや駆動手段９へ噴霧した水がかかることが防止され、同様の効果が得られる。また、ノズルの構成によっては、左方向へずらしても同様の効果が得られることはいうまでもない。
【００６１】
また、実施の形態５のように、噴射する水の勢いをフィルター中心側１３からフィルター円周端側１４に向かうほど弱めて設置したノズル１５Ｄを用いた場合には、同様の効果が得られる。
【００６２】
また、本実施の形態によるノズル１５Ｆは断面の形状を、図８に示す実施の形態６によるレンジフードのノズル１５Ｅと同様に設定してもよい。これにより図８に示す本実施の形態によるレンジフードと同様の効果が得られる。
【００６３】
（実施の形態８）
図１１は本実施の形態におけるレンジフードのノズル１５Ｇの正面図である。図において、図１〜図３に示すレンジフードと同じ部分には同じ参照番号をその説明を省略する。本実施の形態のノズルは、実施の形態７のノズル１５Ｆの代わりにノズル１５Ｇを備える。図１０はフィルター１０から見たノズル１５Ｇの正面図である。
【００６４】
ノズル１５Ｇは、図９や図１０に示すノズル１５Ｆと同様に、フィルター１０の有効域１０Ｚの内周端１３Ｅから外周端１４Ｅまで配列された複数の噴射口１２Ｄを有する。複数の噴射口１２Ｄは、フィルター１０の有効域１０Ｚの内周端１３Ｅから外周端１４Ｅまで配置された複数の噴射口４２、４３を含む。ノズル１５Ｇは中心軸９Ａから下方に位置し、実質的に水平に延びている。複数の第１の噴射口４２と第２の４３は実質的に水平に配列されている。複数の第１の噴射口４２は実質的に水平に延びる第１の直線６０上に配置されている。また、複数の第２の噴射口４３は、第１の直線６０に実質的に平行に水平に延びる第２の直線６１上に配置されている。
【００６５】
第１の噴射口４２と第２の噴射口４３の配置について説明する。図１２は図１１に示すノズル１５Ｇの拡大図である。第２の噴射口４３は、互いに隣り合う第１の噴射口４２の内側にそれぞれ接して中心軸９Ａを中心とする同心円の間に位置している。
【００６６】
複数の第１の噴射口４２、第２の４３の配置について詳細に説明する。図１２に示すように、複数の第１の噴射口４２は互いに隣り合う第３の噴射口４４と第４の噴射口４５を含み、複数の第２の噴射口４３は第５の噴射口４６を含む。円４７、４８はともに中心軸９Ａを中心とする同心円である。円４７、４８は第３の噴射口４４、第４の噴射口４５の互いに対向する部分４９、５０にそれぞれ接する。すなわち、第３の噴射口４４は円４７に内接し、第４の噴射口４５は円４８に外接する。第５の噴射口４６は円４７、４８の間に位置する。また、第３の噴射口４４、第４の噴射口４５はフィルター１０の表面１０Ａ上に位置する円５１、５２にそれぞれ対向し、第５の噴射口４６はフィルター１０の表面１０Ａ上に位置する円５３に対向する。円５１、５２、５３は中心軸９Ａを中心とする同心円である。円５３は円５１と円５２との間に位置する。第１の噴射口４２の噴射口５４、第３の噴射口４４、第４の噴射口４５は連続しており、噴射口５４、第３の噴射口４４は互いに隣り合っている。第２の噴射口４３のうちの第５の噴射口４６と噴射口５５は互いに隣り合っている。第３の噴射口４４、噴射口５４と噴射口５５とは、第３の噴射口４４、第４の噴射口４５、第５の噴射口４６の上記の位置関係と同様に位置する。
【００６７】
第１の直線６０上に配列された複数の第１の噴射口４２は互いに接しては配置できない。上記構成のように第１の直線６０と異なる第２の直線６１上に配列された複数の第２の噴射口４３をさらに設けることで、フィルター１０の表面上において第１の噴射口４２と第２の噴射口４３から隙間なく水を噴射して、噴射される部分の密度を上げることができ、フィルター１０に付着した汚れ等の微小物を確実に落とすことができる。
【００６８】
図１１、図１２に示す実施の形態７によるノズル１５Ｇの複数の噴射口１２Ｄから噴射される水の速さを、図７に示す実施の形態５によるレンジフードと同様に設定してもよい。これにより図７に示す実施の形態５によるレンジフードと同様の効果が得られる。
【００６９】
図１１、図１２に示す本実施の形態によるノズル１５Ｇの断面の形状を、図８に示す実施の形態６によるレンジフードと同様に設定してもよい。これにより図８に示す実施の形態６によるレンジフードと同様の効果が得られる。
【産業上の利用可能性】
【００７０】
噴射する水の勢いと遠心力にて汚れを取り除く構成により、汚れをフィルターで捕集しフィルターのメンテナンス・保守が困難な場所に設置する換気装置にも適用することができる。
【図面の簡単な説明】
【００７１】
【図１】本発明の実施の形態１のレンジフードの設置状態を示す側面構成図
【図２】同レンジフードのノズル付近の斜視図
【図３】同レンジフードのノズルの正面図
【図４】同実施の形態２のレンジフードのノズルの正面図
【図５】同実施の形態３のレンジフードのノズルの正面図
【図６】同実施の形態４のレンジフードのノズル付近の正面図
【図７】同実施の形態５のレンジフードのノズルの上面構成図
【図８】同実施の形態６のレンジフードのノズル付近の上面構成図
【図９】同実施の形態７のレンジフードのノズルの正面図
【図１０】同実施の形態７のレンジフードの別の配置のノズルの正面図
【図１１】同実施の形態８のレンジフードのノズルの正面図
【図１２】同実施の形態８のレンジフードのノズル要部拡大図
【図１３】従来のレンジフードの設置状態を示す構成図
【符号の説明】
【００７２】
１      吸込口
２      フード
４      吐出口
５      排気装置
６      送風ケーシング
７      通風路
７Ｅ    通風路
９      駆動手段
９Ａ    中心軸
９Ｂ    回転軸
１０    フィルター
１０Ａ  フィルター
１０Ｂ  フィルター
１０Ｃ  フィルター
１０Ｄ  フィルター
１０Ｅ  フィルター
１０Ｚ  有効域
１１    洗浄ケーシング
１２    噴射口
１２Ａ  噴射口
１２Ｂ  噴射口
１２Ｃ  噴射口
１２Ｄ  噴射口
１２Ｅ  噴射口
１３    フィルター中心側
１３Ｂ  フィルター中心側
１３Ｃ  フィルター中心側
１３Ｄ  フィルター中心側
１３Ｅ  内周端
１４    フィルター円周端側
１４Ｂ  フィルター円周端側
１４Ｃ  フィルター円周端側
１４Ｄ  フィルター円周端側
１４Ｅ  外周端
１５    ノズル
１５Ａ  ノズル
１５Ｂ  ノズル
１５Ｃ  ノズル
１５Ｄ  ノズル
１５Ｅ  ノズル
１５Ｆ  ノズル
１５Ｇ  ノズル
１８    給水手段
２０    回収手段
３０    水の勢い
４０    鋭端部
４１    底端部
４２    第１の噴射口
４３    第２の噴射口
４４    第３の噴射口
４５    第４の噴射口
４６    第５の噴射口
５４    噴射口
５５    噴射口
６０    第１の直線
６１    第２の直線
【図１】
2008122063.tif 000003
【図２】
2008122063.tif 000004
【図３】
2008122063.tif 000005
【図４】
2008122063.tif 000006
【図５】
2008122063.tif 000007
【図６】
2008122063.tif 000008
【図７】
2008122063.tif 000009
【図８】
2008122063.tif 000010
【図９】
2008122063.tif 000011
【図１０】
2008122063.tif 000012
【図１１】
2008122063.tif 000013
【図１２】
2008122063.tif 000014
【図１３】
2008122063.tif 000015